【事件の表示】
　特願２０１１−　８８３５０「文書および他の平坦な被写体を撮像するためのフラットベッド・スキャナ」拒絶査定不服審判事件〔平成２３年　９月　８日出願公開、特開２０１１−１７６８６１〕について、次のとおり審決する。
【結　論】
　本件審判の請求は、成り立たない。
【理　由】
第１  手続の経緯
　本願は、平成１７年４月５日（パリ条約による優先権主張　２００４年４月８日、米国）に出願した特願２００５−１０８３８９号の一部を平成２１年８月２１日に新たな特許出願とした特願２００９−１９２５０６号の一部をさらに平成２３年４月１２日に新たな特許出願としたものであって、平成２５年７月３１日付けで拒絶査定がなされ、これに対し、同年１２月４日に拒絶査定に対する審判請求がなされるとともに同日付で手続補正がなされたが、当審において平成２６年１０月９日付けで拒絶理由通知がなされ、これに対し、同年１２月５日付けで手続補正がなされたものである。
　
　
第２　本願発明について
　本願の請求項に係る発明は、平成２６年１２月５日付け手続補正書により補正された特許請求の範囲の請求項１ないし２０に記載された事項により特定されるものと認められるところ、その請求項１０に係る発明（以下、「本願発明」という。）は、以下のとおりのものである。
　
（本願発明）
「【請求項１０】
　ハウジングと、
　透明プラテンと、
　各々が前記ハウジングに収容されて前記透明プラテンに光を当て、各々がフラットな表面を有する複数の固定光源と、
　前記透明プラテン上の対象物から反射された光を取得する固定フォトデテクタアレイと
　を備えるフラットベッド・スキャナであって、
　前記複数の固定光源の各々からの光は、前記透明プラテンの少なくとも一部において重なり、
　前記複数の固定光源は、前記固定フォトデテクタアレイの周囲に固定され、
　前記複数の固定光源及び前記固定フォトデテクタアレイは、前記透明プラテンと向かい合って固定され、
　前記複数の固定光源、及び、前記固定フォトデテクタアレイは、前記フラットベッド・スキャナの内面の同一面に沿って配置されて、前記透明プラテンに面し、
　前記固定フォトデテクタアレイは、前記複数の固定光源の間に配置される、
　フラットベッド・スキャナ。」
　
　
第３　引用例
１．当審の拒絶理由に引用された、特開平４−１９２６５９号公報（以下、「引用例１」という。）には「複写機の画像読み取り装置」として図面とともに以下の事項が記載されている。
　
ア．「（産業上の利用分野）
  本発明は、原稿画像に対応する複写画像を形成する複写機の画像読み取り装置に関する。」（第１頁左下欄１３〜１５行）
　
イ．「その目的は、原稿画像を露光する際にも移動機構が不要であって、騒音や振動が発生するおそれのない複写機の画像読み取り装置を提供することにある。
（課題を解決するための手段）
　本発明の複写機の画像読み取り装置は、原稿台上に載置される原稿の全体を露光する光源と、該原稿台上の原稿にて反射された光を集光するように配設された光学系と、該光学系にて集光された光の全てを受光するように配設された２次元ＣＣＤイメージセンサと、を具備してなり、そのことにより上記目的が達成される。」（第２頁右下欄第６〜１７行目）
　
ウ．「（実施例）
　本発明の実施例について以下に説明する。
　本発明の複写機は、第１図に示すように、機体１０のほぼ中央部に感光体ドラム１１が配設されており、また、機体１０の上面には、原稿４０が載置される原稿台１２が設けられている。感光体ドラム１１の上方には、原稿台１２上に載置された原稿の画像を読み取る本発明の画像読み取り装置３０が配設されている。
　該画像読み取り装置３０は、機体１０の一方もしくは両方の側部に配設された光源３１を有している。該光源３１は、原稿台１２の全面にわたって光を照射して、該原稿台１２上に載置される原稿４０全体を露光するようになっている。そして、該光源３１から出射されて原稿台１２に載置された原稿４０により反射された光は、機体１０のほぼ中央部における感光体ドラム１２の上方に固定されたレンズ３２により集光されるようになっている。なお、原稿台１２上の原稿４０によって反射された光が確実にレンズ３２に集光されるように、反射鏡を適宜配置してもよい。
　レンズ３２により集光された原稿４０からの反射光は、該レンズ３２の下方に配設された２次元ＣＣＤイメージセンサ３３に照射される。該２次元ＣＣＤイメージセンサ３３は、原稿台１２上の原稿４０からの全ての反射光を受光し得るようになっている。」（第３頁左上欄第５〜右上欄第９行目）
　
　上記ア．〜ウ．の記載及び関連する図面並びにこの分野における技術常識を考慮すると、
　
ａ．上記ア．イ．にあるように、引用例１には、原稿画像を露光する際にも移動機構が不要であって、騒音や振動が発生するおそれのない「複写機の画像読み取り装置」が記載されている。
　
ｂ．上記ウ．及び第１図には、複写機として、機体１０と、
機体１０の上面に設けられた原稿４０が載置される原稿台１２と、
機体１０内の両側部に配設され、原稿台全面を照射する２つの光源３１と、
原稿４０からの反射光を受光する２次元ＣＣＤイメージセンサ３３と、
を備える点が記載されており、複写機における原稿画像を読み取るための必須の上記構成を備えた機構は、画像読み取りのための機構であると言える。
　
ｃ．第１図には、２つの光源３１からの光が原稿台１２において重なることが示されている。
　
ｄ．第１図には、２つの光源３１が２次元ＣＣＤイメージセンサ３３の周囲に配設され、２次元ＣＣＤイメージセンサ３３が２つの光源３１の間に配設されることが示されている。
　
ｅ．第１図には、２つの光源３１と２次元ＣＣＤイメージセンサ３３が原稿台１２に向かい合って機体１０内に配設されることが示されている。
　そして、機体１０内に配設されている前記画像読み取りのための装置の各構成が、該画像読み取りのための装置の内面に配設されていることは明らかである。
　
　したがって、引用例１には以下の発明（以下、「引用発明１」という。）が開示されている。
　
（引用発明１）
「 機体１０と、
　原稿台１２と、
　機体１０内に配設されて、前記原稿台１２に光を照射する、２つの光源３１と、
　前記原稿台１２上の原稿４０から反射された光を受光する２次元ＣＣＤイメージセンサ３３と
を備える画像読み取りのための装置であって、
　前記２つの光源３１からの光は、前記原稿台１２において重なり、　
　前記２つの光源３１は、前記２次元ＣＣＤイメージセンサ３３の周囲に配設され、
前記２つの光源３１及び前記２次元ＣＣＤイメージセンサ３３は、前記原稿台１２と向かい合って配設され、
　前記２つの光源３１、及び、前記２次元ＣＣＤイメージセンサ３３は、前記画像読み取りのための装置の内面に配設され、前記原稿台１２に面し、
　前記２次元ＣＣＤイメージセンサ３３は、前記２つの光源３１の間に配設される、
　画像読み取りのための機構。」
　
　
２．当審の拒絶理由に引用された、特開２００１−２２９３６５号公報（以下、「引用例２」という。）には「画像取込み装置」として図面とともに以下の事項が記載されている。
　
エ．「【０００１】
【発明の属する技術分野】本発明は、複写機、スキャナ装置等の画像取込み装置に関するものである。」（第２頁）
　
オ．「【００１０】
【課題を解決するための手段】請求項１の発明は、ケースの上面に透明板よりなる画像取込み面を有し、前記ケース内部の底面に、レンズを含む光学装置を有した二次元画像センサを配し、前記ケースの内部に照明装置を配し、画像として取込みたい部分を下にした被写体を前記画像取込み面上に配し、前記被写体へ下方から前記照明装置によって光をあてて、前記二次元画像センサによって前記被写体の瞬時画像を取り込むことを特徴とする画像取込み装置である。」（第３頁）
　
カ．「【００３２】
【発明の実施の形態】以下、本発明の一実施例を図面に基づいて説明する。
【００３３】［１．複写機１０の構造］図１は、本実施例の画像取込み装置を適用した複写機１０の説明図である。
【００３４】図１に示すように、複写機１０の上部は、画像取込み装置１２を配し、その下部は、画像取込み装置１２で取り込んだ画像を紙面に印刷する印刷装置１４である。
【００３５】画像取込み装置１２は、四角形の筺体より構成されたケース１６より本体が構成され、このケース１６の上面は、透明なガラス板より構成された画像取込み面１８となっており、この上に被写体４０を載置する。
【００３６】この画像取込み面１８の上面には、一端部がヒンジでケース１６と回動自在に接続された板状のカバー２０が配されている。
【００３７】ケース１６の底面には、静止画像、または、動画像を撮影できる３つの二次元画像センサであるデジタルカメラ２２，２４，２６が配されている。これらデジタルカメラ２２，２４，２６は画像取込み面１８を撮影できるようにするために、シャッタ機構、絞り機構、レンズ機構等よりなる光学装置２２ａ，２４ａ，２６ａが設けられている。デジタルカメラ２２，２４，２６の撮像素子は、ＣＣＤ素子より構成され、高い解像度を有している。なお、撮像素子は、ＣＭＯＳセンサでもよい。また、これら光学装置２２ａ，２４ａ，２６ａは、ズーム機能を有し、必要があれば移動可能及び回転可能に配し、デジタルカメラのレンズキャリブレーションが調整可能なようにしておく。なお、「レンズキャリブレーション」とは、レンズ特性を考慮して「デジタルカメラの画像座標」と「画像画像取込み面の物理的な座標」との対応関係を求めること及び求めた対応関係をいう。
【００３８】デジタルカメラ２２，２４，２６の間には、画像取込み面１８に配された被写体４０を照明するための照明装置２８，３０，３２，３４が配されている。照明装置２８，３０，３２，３４のランプ２８ａ，３０ａ，３２ａ，３４ａは、蛍光灯式、発熱式、放電式、フラッシュが適用できる。
【００３９】ケース１６内部における画像取込み面１８の下方には、一次元画像センサ（以下、スキャンセンサという）３６が画像取込み面１８に沿って移動可能なように配されている。
【００４０】また、ケース１６の外部には、液晶表示装置を有するモニター６０が設けられている。このモニター６０は、デジタルカメラ２２〜２６で撮影した画像や操作情報を表示する。」（第４−５頁）
　
　上記エ．〜カ．の記載及び関連する図面並びにこの分野における技術常識を考慮すると、
　
ｆ．上記エ．にあるように、引用例２には、「画像取込み装置」が記載されている。
　
ｇ．上記カ．の段落【００３５】には、画像取込み装置の本体がケース１６によって構成されると共に、ケース１６の上面は、透明なガラス板で構成された画像取込み面１８となっていることが記載されている。
　
ｈ．上記カ．の段落【００３８】及び図１には、ケース１６の内部には、画像取込み面１８に配された被写体４０を照明するための複数の照明装置が配されることが記載されている。
　そして、照明装置が画像取込み面１８に配された被写体４０を照明するためには、画像取込み面１８を照明することは自明である。
　
ｉ．上記キ．の段落【００３７】には、画像取込み装置が二次元画像センサであるデジタルカメラを備えており、上記オ．には、画像取込み面上の被写体の瞬時画像を二次元画像センサによって取り込むことが記載されている。
　
ｊ．上記キ．の段落【００３７】−【００３８】、及び図１には、複数の照明装置、及び複数のデジタルカメラをケース１６の底面に配することが記載されており、図１には、ケースの底面１６に配された複数の照明装置、及び複数のデジタルカメラが画像取込み面１８に面していることが示されている。
　
　したがって、引用例２には以下の発明（以下、「引用発明２」という。）が開示されている。
　
（引用発明２）
「 ケース１６と、
　画像取込み面１８と、
　ケース１６の内部に配され、前記画像取込み面１８を照明する、複数の照明装置と、
　前記画像取込み面１８上の被写体４０の瞬時画像を取り込むデジタルカメラと
　を備える画像取込み装置であって、
　前記複数の照明装置、及び、前記デジタルカメラは、前記ケース１６の底面に配されて、前記画像取込み面１８に面する
　画像取込み装置。」
　
　
第４　対比・判断
　本願発明と引用発明１とを対比する
（ア）　引用発明１の「画像読み取りのための機構」について、フラットベッドスキャナとは透明な原稿台の上に原稿を固定して、下から光を照射し反射光を読み取る種類のスキャナであることは技術常識であり、引用発明１の「画像読み取りのための機構」もまた、上記第３　１．のイ．及び図１に示されるように、原稿台に原稿を載置し、原稿台越しに下から光を照射して原稿を読み取るものであることから、フラッドベッドスキャナと同様の読み取りのための機構、すなわち「フラッドベッドスキャナ機構」であるといえる。
　したがって、引用発明の「画像読み取りのための機構」は、本願発明の「フラットベッドスキャナ」と、「フラットベッドスキャナ機構」である点で共通し、本願発明が「フラットベッドスキャナ」という「装置」であるのに対し、引用発明１の「フラットベッドスキャナ機構」は複写機の一部を構成する「機構」である点で相違する。
　
（イ）　引用発明１の「機体１０」は、画像読み取りのための各種構成を内包するものであることから、本願発明における「ハウジング」に相当する。
　
（ウ）　引用発明１の「原稿台１２」について、上記第３　１．のｂ．で述べたように、読み取り対象である原稿を載置するものであり、さらに照射された光と原稿から反射された光とを通過させるものであることから透明であることも明らかである。
　一方、本願発明における「透明プラテン」との記載は、本願明細書段落【００１４】における「スキャンの際スキャン対象物（例えば対象物２２４）は透明プラテン２１６上に置かれる。」との記載を参酌すれば、スキャン対象物を置く「透明な部材」であると解釈されるものである。
　したがって、引用発明１の「原稿台１２」は、本願発明における「透明プラテン」に相当する。
　
（エ）　引用発明１の「機体１０内に配設されて、前記原稿台１２に光を照射する、２つの光源３１」について、上記第３　１．のａ．で述べたとおり引用発明１は原稿画像を露光する際に移動機構を不要とするものであり、さらには光源３１について移動可能である旨の記載は引用文献１中に存在しないことから、「光源３１」が固定された光源であることは明らかである。また、「光を照射」することは「光を当てる」ことに相当し、「２つ」の光源が「複数」の光源であることも明らかである。
　したがって、引用発明１の「機体１０内に配設されて、前記原稿台１２に光を照射する、２つの光源３１」は、本願発明の「各々が前記ハウジングに収容されて前記透明プラテンに光を当て、各々がフラットな表面を有する複数の固定光源」と、「各々が前記ハウジングに収容されて前記透明プラテンに光を当てる複数の固定光源」である点で共通し、「固定光源」について、本願発明においては「フラットな表面を有する」と規定されているのに対して、引用発明においてはそのような規定が存在しない点で相違する。
　
（オ）　引用発明１の「前記原稿台１２上の原稿４０から反射された光を受光する２次元ＣＣＤイメージセンサ３３」について、「原稿４０」は読み取りの対象であることから、本願発明における「対象物」に相当する。また、上記第３　１．のａ．で述べたとおり引用発明１は原稿画像を露光する際に移動機構を不要とするものであり、さらには２次元ＣＣＤイメージセンサ３３について移動可能である旨の記載は引用文献１中に存在しないことから、上記「２次元ＣＣＤイメージセンサ３３」は固定されたものであり、該「２次元ＣＣＤイメージセンサ３３」は本願発明における「固定フォトデテクタアレイ」に相当する。また、イメージセンサにおいて、光を「受光」することは、光を「取得」することに相当する。
　したがって、引用発明１の「前記原稿台１２上の原稿４０から反射された光を受光する２次元ＣＣＤイメージセンサ３３」は、本願発明における「前記透明プラテン上の対象物から反射された光を取得する固定フォトデテクタアレイ」に相当する。
　
（カ）　引用発明１の「前記２つの光源３１からの光は、前記原稿台１２において重な」ることは、本願発明における「前記複数の固定光源の各々からの光は、前記透明プラテンの少なくとも一部において重な」ることに相当する。
　
（キ）　引用発明１の「前記２つの光源３１は、前記２次元ＣＣＤイメージセンサ３３の周囲に配設され」ること、及び「前記２次元ＣＣＤイメージセンサ３３は、前記２つの光源３１の間に配設される」ことについて、「配設」は「配置」に相当する。また、上記（エ）、（オ）で検討したように、「光源３１」、「２次元ＣＣＤイメージセンサ３３」は何れも固定されているものであることから、固定されるように「配設」することは「固定」することにも相当する。
　したがって、引用発明１の「前記２つの光源３１は、前記２次元ＣＣＤイメージセンサ３３の周囲に配設され」ること、及び「前記２次元ＣＣＤイメージセンサ３３は、前記２つの光源３１の間に配設される」ことは、本願発明の「前記複数の固定光源は、前記固定フォトデテクタアレイの周囲に固定され」ること、及び「前記固定フォトデテクタアレイは、前記複数の固定光源の間に配置される」ことにそれぞれ相当する。
　
（ク）　引用発明１における「前記２つの光源３１及び前記２次元ＣＣＤイメージセンサ３３は、前記原稿台１２と向かい合って配設され」ることについて、上記（エ）、（オ）、（キ）での検討を考慮すると、本願発明の「前記複数の固定光源及び前記固定フォトデテクタアレイは、前記透明プラテンと向かい合って固定され」ることに相当する。
　
（ケ）　引用発明１における「前記２つの光源３１、及び、前記２次元ＣＣＤイメージセンサ３３は、前記画像読み取りのための装置の内面に配設され、前記原稿台１２に面」することは、本願発明の「前記複数の固定光源、及び、前記固定フォトデテクタアレイは、前記フラットベッド・スキャナの内面の同一面に沿って配置されて、前記透明プラテンに面」することと、上記（エ）、（オ）、（キ）での検討を考慮すると、「前記複数の固定光源、及び、前記固定フォトデテクタアレイは、前記フラットベッド・スキャナの内面に配置されて、前記透明プラテンに面」する点で一致し、本願発明においては、「複数の固定光源」及び「固定フォトデテクタアレイ」が「同一面に沿って」配置されているのに対して、引用発明１においてはそのような規定が存在しない点で相違する。
　
　したがって、本願発明と引用発明１とは、以下の点で一致ないし相違している。
（一致点）
「 ハウジングと、
　透明プラテンと、
　各々が前記ハウジングに収容されて前記透明プラテンに光を当てる複数の固定光源と、
　前記透明プラテン上の対象物から反射された光を取得する固定フォトデテクタアレイと
を備えるフラットベッド・スキャナであって、
　前記複数の固定光源の各々からの光は、前記透明プラテンの少なくとも一部において重なり、
　前記複数の固定光源は、前記固定フォトデテクタアレイの周囲に固定され、
　前記複数の固定光源及び前記固定フォトデテクタアレイは、前記透明プラテンと向かい合って固定され、
　前記複数の固定光源、及び、前記固定フォトデテクタアレイは、前記フラットベッド・スキャナの内面に配置されて、前記透明プラテンに面し、
　前記固定フォトデテクタアレイは、前記複数の固定光源の間に配置される、
　フラットベッド・スキャナ機構。」
　
（相違点）
（ａ）　本願発明が「フラットベッドスキャナ」という「装置」であるのに対し、引用発明１の「フラットベッドスキャナ機構」は複写機の一部を構成する「機構」である点で相違する。
　
（ｂ）　「固定光源」について、本願発明においては「フラットな表面を有する」と規定されているのに対して、引用発明１においてはそのような規定が存在しない点で相違する。
　
（ｃ）　本願発明においては、「複数の固定光源」及び「固定フォトデテクタアレイ」が「同一面に沿って」配置されているのに対して、引用発明１においてはそのような規定が存在しない点で相違する。
　
　そこで、上記相違点（ａ）〜（ｃ）について検討する。
　
相違点（ａ）について
　画像読み取りのための機構を独立した「装置」として構成することは周知慣用の技術に過ぎないことから、引用発明１に記載された、フラッドベッドスキャナ機構についても独立した「装置」である「フラットベッドスキャナ」として構成することは、当業者であれば容易に想到しうるものである。
　
相違点（ｂ）について
　平成２６年１０月９日付けの当審による拒絶理由通知書にて引用した引用文献２（特開２０００−１１５４７０号公報）の図１、及び対応する段落には、画像読み取りのための装置（原稿読取装置）において、対象物（原稿）に光を当てる光源として「フラットな表面を有する」光源（ＥＬランプ１１）を用いる点が記載され、同じく引用文献３（特開２００２−３３０３３６号公報）の第３頁右欄段落【０００９】、図１にも、画像読み取りのための装置（画像補足装置）において、対象物（原稿）に光を当てる光源として「フラットな表面を有する」光源（光源１０６）を用いる点が記載され、同じく引用文献４（実用新案登録第３０６９５９７号公報）の第４頁段落【００１０】〜第５頁段落【００１２】、図１−図２にも、画像読み取りのための装置（弱視者用拡大読書器）において、対象物（読み取り対象物）に光を当てる光源として「フラットな表面を有する」光源（照明ランプ１０）を用いる点が記載されており、このように、画像読み取りのための装置において、対象物に光を当てる光源として「フラットな表面を有する」光源を用いることは周知である。
　そして、引用発明１における対象物に光を当てる光源として「フラットな表面を有する」光源を用いることに技術的な阻害要因は存在しないことから、引用発明１において対象物に光を当てる光源として「フラットな表面を有する」光源を用いることは、単なる周知技術の付加に過ぎず、当業者であれば容易に想到しうるものである。
　
相違点（ｃ）について、
　第３　２．に記載したように、引用発明２には、
「 ケース１６と、
　画像取込み面１８と、
　ケース１６の内部に配され、前記画像取込み面１８を照明する、複数の照明装置と、
　前記画像取込み面１８上の被写体４０の瞬時画像を取り込むデジタルカメラと
　を備える画像取込み装置であって、
　前記複数の照明装置、及び、前記デジタルカメラは、前記ケース１６の底面に配されて、前記画像取込み面１８に面する
　画像取込み装置。」
が記載されていることから、引用発明２には、フラットベッドスキャナ（画像取込み装置）において、固定光源（照明装置）、及び、固定フォトデテクタアレイ（二次元画像センサであるデジタルカメラ）を当該フラットベッドスキャナのハウジング（ケース１６）の内面の「同一面に沿って」配置する（ケース１６の底面に配する）点が開示されていると言える。
　そして、引用発明１に、ハウジング内に固定フォトデテクタアレイと固定光源とを配置するフラットベッドスキャナという共通の技術分野に属する引用発明２に記載の技術を用いて、「複数の固定光源」及び「固定フォトデテクタアレイ」を「同一面に沿って」配置するようにすることは、当業者であれば容易に想到しうるものである。
　
　このように上記相違点は格別なものでなく、本願発明に関する作用・効果も引用発明１、２、及び周知技術から当業者が予測できる範囲のものである。
　
　
第５　むすび
　以上のとおりであるから、本願発明は引用発明１、２、及び周知技術に基いて容易に発明をすることができたものであるから、特許法第２９条第２項の規定により、特許を受けることができない。
　よって、結論の通り審決する。